(57)【要約】【課題】シリンダボディに回動自在に支承されるロータが備えるキー孔へのメカニカルキーの挿入を許容する状態ならびにキー孔へのメカニカルキーの挿入を阻止する状態をマグネット錠の解錠時に切換え可能としたシリンダ錠の保護装置において、ロータのキー孔を完全に閉鎖することを可能とするとともにコンパクト化を可能とする。【解決手段】キー孔１６へのメカニカルキー１５の挿入を許容する挿通孔３８を有するとともにマグネット錠３５の解錠時の回動操作に応じてロータ１３の回動軸線と同一軸線まわりに回動する回動部材２７に、該回動部材２７の回動に応じて挿通孔３８を開放する位置ならびに挿通孔３８の全部を閉鎖する位置間で移動するようにしてシャッター板２８が連動、連結される。【選択図】        図１
2007204961.tif 000002
【特許請求の範囲】
【請求項１】
シリンダボディ（１１）に回動自在に支承されるロータ（１３）が備えるキー孔（１６）へのメカニカルキー（１５）の挿入を許容する状態ならびに前記キー孔（１６）への前記メカニカルキー（１５）の挿入を阻止する状態をマグネット錠（３５）の解錠時に切換え可能としたシリンダ錠の保護装置において、前記キー孔（１６）への前記メカニカルキー（１５）の挿入を許容する挿通孔（３８）を有するとともにマグネット錠（３５）の解錠時の回動操作に応じて前記ロータ（１３）の回動軸線と同一軸線まわりに回動する回動部材（２７）と、該回動部材（２７）の回動に応じて前記挿通孔（３８）を開放する位置ならびに前記挿通孔（３８）の全部を閉鎖する位置間で移動するようにして前記回動部材（２７）に連動、連結されるシャッター板（２８）とを備えることを特徴とするシリンダ錠の保護装置。
【発明の詳細な説明】
【技術分野】
【０００１】
本発明は、シリンダボディに回動自在に支承されるロータが備えるキー孔へのメカニカルキーの挿入を許容する状態ならびに前記キー孔への前記メカニカルキーの挿入を阻止する状態をマグネット錠の解錠時に切換え可能としたシリンダ錠の保護装置に関する。
【背景技術】
【０００２】
横断面矩形であるキー孔に対応した横断面矩形のキー挿入孔を有するシャッター板をマグネット錠の解錠時の回動操作によってロータの回動軸線と同一軸線まわりに回動するようにしたシリンダ錠の保護装置が、特許文献１によって知られており、またロータの回動軸線と平行であって前記回動軸線からオフセットした軸線まわりに回動可能なシャッター板をマグネット錠の解錠時の回動操作によって回動するようにしたシリンダ錠の保護装置が、特許文献２によって知られている。
【特許文献１】特許第３５７７４５３号公報
【特許文献２】特開２００３−５６２１９号公報
【発明の開示】
【発明が解決しようとする課題】
【０００３】
ところが上記特許文献１で開示されたものでは、シャッター板の閉鎖位置では、ロータのキー孔に対してシャッター板のキー挿入孔は交差した位置にあり、その交差中央部は閉じることがないので、その挿通孔から異物を無理やり挿入されたり、塵埃等がロータ内に侵入したりして好ましくない。
【０００４】
また上記特許文献２で開示されたものでは、シャッター板によってロータのキー孔を完全に閉鎖することができるので、特許文献１の開示技術での問題が生じることはないが、シャッター板が、ロータの回動軸線と平行であってその回動軸線からオフセットした軸線まわりに回動可能とされるので、シャッター板を含む保護装置が大型化してしまう。
【０００５】
本発明は、かかる事情に鑑みてなされたものであり、ロータのキー孔を完全に閉鎖することを可能とするとともにコンパクト化を可能としたシリンダ錠の保護装置を提供することを目的とする。
【課題を解決するための手段】
【０００６】
上記目的を達成するために、本発明は、シリンダボディに回動可能に挿入されるロータが有するキー孔へのメカニカルキーの挿入を許容する状態ならびに前記キー孔への前記メカニカルキーの挿入を阻止する状態を、マグネット錠の解錠時に切換え可能としたシリンダ錠の保護装置において、前記キー孔への前記メカニカルキーの挿入を許容する挿通孔を有するとともにマグネット錠の解錠時の回動操作に応じて前記ロータの回動軸線と同一軸線まわりに回動する回動部材と、該回動部材の回動に応じて前記挿通孔を開放する位置ならびに前記挿通孔の全部を閉鎖する位置間で移動するようにして前記回動部材に連動、連結されるシャッター板とを備えることを特徴とする。
【発明の効果】
【０００７】
本発明の上記構成によれば、回動部材がロータの回動軸線と同一軸線まわりに回動するものであり、ロータのキー孔にメカニカルキーを挿入させ得るようにして前記回動部材が備える挿通孔の全部を、前記回動部材の回動に応じてシャッター板で閉鎖することができるので、ロータのキー孔に通じる挿通孔を完全に閉鎖することが可能となるとともに保護装置のコンパクト化が可能となる。
【発明を実施するための最良の形態】
【０００８】
以下、本発明の実施の形態を、添付の図面に示した本発明の一実施例に基づいて説明する。
【０００９】
図１〜図９は本発明の一実施例を示すものであり、図１はシリンダ錠の縦断面図であって図２の１−１線に沿う断面図、図２はシャッター板が挿通孔を閉鎖した状態での図１の２−２線断面図、図３はメカニカルキーおよびマグネットキーを省略した状態での図１の３矢視図、図４は保護装置を前方側から見た分解斜視図、図５は保護装置を後方側から見た分解斜視図、図６は図２の６−６線断面図、図７は図１の要部拡大図、図８は一部を分解して示すメカニカルキーおよびマグネットキーの斜視図、図９はシャッター板が挿通孔を開放した状態での図２に対応した断面図である。
【００１０】
先ず図１において、たとえば自動二輪車のシリンダ錠１０のシリンダボディ１１は、ステアリングコラム（図示せず）に取付けられており、このシリンダボディ１１の前部には、該シリンダボディ１１の前部を覆う非磁性材料製のボディカバー１２が取付けられる。前記シリンダボディ１１には、ＬＯＣＫ位置およびＯＦＦ位置間での回動時にはプッシュ操作を伴うことを条件としてＬＯＣＫ位置、ＯＦＦ位置およびＯＮ位置を順次占めるように回動し得るロータ１３が前方側（図１の左方側）に向けて弾発付勢されつつ挿入、支持される。またシリンダボディ１１の後部には、ロータ１３の回動動作に応じてスイッチ態様を変化するイグニッションスイッチ（図示せず）が取付けられ、さらにロータ１３の回動に応じて転舵操作の許容および阻止を切換えるロック部材１４がシリンダボディ１１にスライド可能に支承される。
【００１１】
ロータ１３は、正規のメカニカルキー１５を挿入せしめるための有底のキー孔１６を有しており、該キー孔１６に連なる貫通孔１７を有するプロテクタ１８が、シリンダボディ１１の前部内に配置される。このプロテクタ１８には、複数たとえば一対の係合鍔１８ａ，１８ｂが半径方向外方に突出するようにして一体に突設されており、それらの係合鍔１８ａ，１８ｂは、前方側に臨んでシリンダボディ１１に設けられる環状段部１９と、シリンダボディ１１の前端にかしめ固定されるリング板２０との間に挟まれる。すなわちプロテクタ１８は、軸線まわりの回動を可能としてシリンダボディ１１に支承されるものであり、貫通孔１７からキー孔１６に挿入された正規のメカニカルキー１５を回動操作すると、プロテクタ１８はロータ１３とともに回動するが、前記メカニカルキー１５によるプッシュ操作時には、ロータ１３はプロテクタ１８を置き去りにして押し込まれる。
【００１２】
而してＬＯＣＫ位置で前記係合鍔１８ａ，１８ｂにそれぞれ対応する部分で、前記環状段部１９には、係止溝２１，２２が設けられており、プロテクタ１８の貫通孔１７に、正規のメカニカルキー１５以外のドライバ等を押し込んで無理やりにプッシュ操作したときには、前記各係合鍔１８ａ，１８ｂが対応の係止溝２１，２２に係合することでプロテクタ１８の回動が阻止されることになる。またプロテクタ１８の前記係合鍔１８ａ，１８ｂと、前記ロータ１３との間にはコイル状のばね２３が縮設されており、このばね２３は、ＬＯＣＫ位置およびＯＦＦ位置で正規のメカニカルキー１５によってロータ１３をプッシュ操作したときに、プロテクタ１８がロータ１３に追随して軸方向に移動することがないようにプロテクタ１８を付勢する。
【００１３】
またボディカバー１２には、前記プロテクタ１８を囲繞する円筒状のプロテクタカバー部１２ａが一体に設けられており、このプロテクタカバー部１２ａで、シリンダボディ１１へのリング板２０の固定部も覆われる。
【００１４】
シリンダボディ１１の内面には軸方向に延びる係合溝２４が設けられ、ロータ１３には、正規のメカニカルキー１５をキー孔１６に挿入するのに応じて前記係合溝２４との係合を解除する複数のタンブラー２５…が、前記係合溝２４…に係合する方向に弾発付勢されながら配設される。
【００１５】
図２〜図５を併せて参照して、シリンダ錠１０には、ロータ１３が備えるキー孔１５へのメカニカルキー１５の挿入を許容する状態ならびに前記キー孔１６への前記メカニカルキー１５の挿入を阻止する状態をマグネット錠３５の解錠時に切換え可能とした保護装置２６が付設される。この保護装置２６は、前記ロータ１３のキー孔１６への前記メカニカルキー１５の挿入を許容する挿通孔３８を有するとともにマグネット錠３５の解錠時の回動操作に応じて前記ロータ１３の回動軸線と同一軸線まわりに回動する回動部材２７と、該回動部材２７の回動に応じて前記挿通孔３８を開放する位置ならびに前記挿通孔３８の全部を閉鎖する位置間で移動するようにして前記回動部材２７に連動、連結されるシャッター板２８とを備え、回動部材２７およびシャッター板２８は、前記ボディカバー１２に取付けられるケーシング２９に収容される。
【００１６】
前記ケーシング２９は、ボディカバー１２のプロテクタカバー部１２ａに一体に連なるケース部３０と、該ケース部３０に複数たとえば一対のねじ部材３２，３２によって締結される非磁性材料製のカバー３１とから成る。
【００１７】
カバー３１は、前記ケース部３０に対向する平板部３１ａと、該平板部３１ａの全周縁に直角に連なる側板部３１ｂとを一体に有する。
【００１８】
前記ケース部３０の中央部には、前記プロテクタ１８の挿入孔１７に対応した円形の透孔３３が設けられ、カバー３１の平板部３１ａにおける中央部には、前記透孔３３と同軸である支持孔３４が設けられ、該支持孔３４は前記透孔３３よりも大径に形成される。
【００１９】
前記回動部材２７は、前記カバー３１に設けられた支持孔３４よりも大径にして平板リング状に形成されるとともに支持孔３４の周囲で前記カバー３１における平板部３１ａの内面に摺接される回動部材基部２７ａと、前記支持孔３４に回動可能に嵌合するようにして回動部材基部２７ａから突出する嵌合筒部２７ｂと、前記回動部材基部２７ａの外周縁部に直角に連なって嵌合筒部２７ｂと反対側に突出する外周側支持筒部２７ｃと、前記回動部材基部２７ａの内周縁部に直角に連なって嵌合筒部２７ｂと反対側に突出する内周側支持筒部２７ｄと、前記回動部材２７ａの外周から半径方向外方に張り出す規制突部２７ｅと、規制突部２７ｅとは反対側で回動部材基部２７ａの外周から外方に離隔した位置に配置される円弧部２７ｆと、前記内周側支持筒部２７ｄ、外周側支持筒部２７ｃおよび前記円弧部２７ｆ間を結ぶ連結部２７ｇと、前記円弧部２７ｆからカバー３１側に突出する操作軸部２７ｈとを一体に有し、外周側支持筒部２７ｃ、内周側支持筒部２７ｄ、円弧部２７ｆおよび連結部２７ｇのケース部３０側に臨む面は面一に形成される。また前記回動部材基部２７ａの中央部には、ホールカバー３７が嵌着されており、該ホールカバー３７によって前記挿通孔３８が形成される。
【００２０】
またカバー３１における平板部３１ａには、前記回動部材２７の操作軸部２７ｈを貫通せしめる円弧状の長孔３９が設けられており、操作軸部２７ｈは前記平板部３１ａから外方に突出する。而してマグネット錠３５の解錠時に、操作軸部２７ｈを保持して操作することによって前記回動部材２７は所定範囲たとえば２５度の範囲で回動するものであり、その範囲で回動部材２７および操作軸部２７ｈが回動するのを許容するように前記長孔３９が形成される。
【００２１】
また回動部材２７の規制突部２７ｅにおいてカバー３１の平板部３１ａに臨む面は、嵌合筒部２７ｂの先端よりも後退した位置に設定されており、前記平板部３１ａの内面には、前記規制突部２７ｅを回動可能に嵌合せしめる嵌合凹部４０が支持孔３４に連なるようにして設けられる。
【００２２】
一方、ケーシング２９におけるケース部３０は、前記透孔３３が中央部に設けられる平板部３０ａと、前記回動部材２７の外周支持筒部２７ｃを回動可能に嵌合せしめとともに回動部材２７の回動部材基部２７ａを摺接せしめるようにして円弧状に形成されて前記平板部３０ａから突出される嵌合支持部３０ｂと、透孔３３の半径方向に沿って長く延びるとともにシャッター板２８を透孔３３の半径方向に沿ってスライド可能に嵌合せしめるガイド凹部４１を前記平板部３０ａとの間に形成するようにして前記平板部３０ａから突出される矩形状の枠部３０ｃと、前記嵌合支持部３０ｂ内で前記枠部３０ｃから両側に張出すようにして前記枠部３０ｃに面一に連なる張出し部３０ｄ，３０ｅと、円弧状である前記嵌合支持部３０ｂと中心を同一として円弧状に形成されるとともに前記張出し部３０ｄ，３０ｅから隆起する隆起部３０ｆ，３０ｇと、前記回動部材２７の円弧部２７ｆを摺接させるべく前記嵌合支持部３０ｂおよび前記枠部３０ｃの外方で円弧状に形成されて前記平板部３０ａから突出するガイド突部３０ｈと、前記回動部材２７の規制突部２７ｅに対応する部分で前記嵌合支持部３０ａの外周から半径方向外方に突出する突部３０ｊとを一体に有する。
【００２３】
前記隆起部３０ｆ，３０ｇにはＯリング４２，４３が嵌装されており、それらのＯリング４２，４３は、ケース部３０の張出し部３０ｄ，３０ｅと、回動部材２７における回動部材主部２７ａとの間に挟まれる。
【００２４】
図６を併せて参照して、前記規制突部２７ｅのケース部３０側に臨む面には、三角形状に凹んだ係合凹部４４，４５が回動部材２７の周方向に間隔をあけて設けられる。一方、ケース部３０における突部３０ｊには、規制突部２７ｅ側に開口する有底のばね収容孔４６が設けられており、ばね収容孔４６の閉塞端に一端を当接させるコイル状のばね４７がばね収容孔４６に収容される。しかもばね収容孔４６の長さを確保するために、前記ケース部３０における平板部３０のばね収容孔４６に対応する部分には、カバー３１とは反対側に突出する突部３０ｋが突設される。
【００２５】
ばね収容孔４６内に収容される状態と、前記係合凹部４４，４５の一方に択一的に略半部を係合させるとともに前記ばね収容孔４６の残余の略半部を係合させる状態とを切換え可能としたクリックボール４８が前記ばね４７の他端に当接されており、回動部材２７は、キー孔１６へのメカニカルキー１５の挿入を阻止する状態で前記クリックボール４８を一方の係合凹部４４およびばね収容孔４６に略半部ずつを係合する位置と、キー孔１５へのメカニカルキー１５の挿入を許容する状態で前記クリックボール４８を他方の係合凹部４５およびばね収容孔４６に略半部ずつを係合する位置との間で節度的に回動することになる。
【００２６】
図７において、マグネット錠３５は、回動部材２７の回動部材主部２７ａおよびケース部３０の隆起部３０ｆ，３０ｇ間に設けられるものであり、前記隆起部３０ｆ，３０ｇには、透孔３３の軸線に関して対称位置に配置される３個ずつ２組の有底の摺動孔４９…が、前記回動部材主部２７ａ側に開口するようにして設けられ、前記回動部材主部２７ａのケース部３０に臨む面には、キー孔１５へのメカニカルキー１５の挿入を阻止すべく前記クリックボール４８を一方の係合凹部４４およびばね収容孔４６に略半部ずつを係合させた状態で、前記各摺動孔４９…に個別に対応する３個ずつ２組の係合凹部５０…が設けられる。しかも各組での前記摺動孔４９…相互の間隔および前記係合凹部５０…相互の間隔は、回動部材２７の回動範囲たとえば２５度よりも大きく設定されている。
【００２７】
前記各摺動孔４９…のうち選択された摺動孔４９…、この実施例では各組の２個ずつの摺動孔４９…には、磁極配置が適宜の組み合わせとなるようにして棒状の永久磁石５１…がそれぞれ摺動可能に嵌合され、各摺動孔４９…の閉塞端および各永久磁石５１…間には、各永久磁石５１…を隆起部３０ｆ，３０ｇから突出させる側にばね付勢するばね５２…がそれぞれ介設される。
【００２８】
而して前記クリックボール４８を一方の係合凹部４４およびばね収容孔４６に略半部ずつを係合させた状態で、前記永久磁石５１…の一部は、回動部材２７側の係合凹部５０…のうち対応の係合凹部５０…に係合することになり、この状態では回動部材２７の回動作動が阻止されることになる。
【００２９】
ところで前記マグネット錠３５の施・解錠操作を行うためのマグネットキー５５は、図８で示すように、メカニカルキー１５の一部を被覆して合成樹脂により形成される把持部５４に設けられるものであり、この把持部５４と一体に形成される嵌合部５６に、前記マグネット錠３５の永久磁石５１…に対応した個数の棒状の永久磁石５７…が保持されて成る。
【００３０】
前記嵌合部５６は、回動部材２７における嵌合筒部２７ｂの内周に対応して彎曲した外側面を長手方向両端に有して基本的には矩形状に形成されるものであり、嵌合部５６の長手方向両端の外側面には、位置決め突部５６ａ，５６ｂが一体に突設され、一方の位置決め突部５６ａは他方の位置決め突部５６ｂよりも大きく形成される。
【００３１】
一方、回動部材２７における嵌合筒部２７ｂには、一方の前記位置決め突部５６ａを嵌合せしめる切欠き６３と、他方の位置決め突部５６ｂを嵌合せしめる凹部６４とが設けられており、位置決め突部５６ａ，５６ｂを前記切欠き６３および凹部６４に嵌合せしめることにより嵌合部５６を前記嵌合筒部２７ｂ内に位置決め、嵌合することができる。
【００３２】
前記嵌合部５６の回動部材２７に対向する面には、一対の円弧状の凹部５８，５８が設けられており、回動部材２７に設けられている３個ずつ２組の係合凹部５１…に個別に対応する収容凹部５９…が各凹部５８…に開口するようにして嵌合部５６に設けられる。
【００３３】
前記各収容凹部５９…のうちケース部３０に配設された永久磁石５１…の配置に対応した位置に配置される収容凹部５９…に前記永久磁石５７…がそれぞれ収容される。また両凹部５８…の開口端は嵌合部５６に固定される非磁性材料製の閉塞板６０…で閉じられる。
【００３４】
嵌合部５６に配設される各永久磁石５７…は、ケース部３０側の各永久磁石５１…における回動部材２７側の磁極と同一の磁極が回動部材２７側に配置されるようにして収容凹部５９…に収容されるものであり、正規のマグネットキー５５が回動部材２７の嵌合筒部２７ａに位置決め、嵌合されたときには、同一磁極の反発力によって、ケース部３０側の永久磁石５１…はばね５２…のばね力に抗して係合凹部５０…から離脱するように摺動孔４９…に押し込まれ、これにより回動部材２７の回動作動が許容されることになる。
【００３５】
ケース部３０のガイド凹部４１にスライド可能に嵌合されるシャッター板２８には、回動部材２７側に突出する係合突部６１が突設されており、この係合突部６１が回動部材２７の連結部２７ｇに設けられた円弧状のガイド孔６２に係合される。したがって回動部材２７の回動作動が許容されている状態で、回動部材２７が回動すると、その回動部材２７の回動に追随してシャッター板２８がスライドするものであり、マグネット錠３５の鎖錠状態では回動部材２７の挿通孔３８の全部を閉鎖する閉鎖位置にあってシリンダ錠１０を保護する状態（図２の状態）と、図９で示すように前記回動部材２７の挿通孔３８を開放する開放位置にあってシリンダ錠１０のキー孔１６へのメカニカルキー１５の挿入を許容する状態との間でスライドすることが可能である。
【００３６】
次にこの実施例の作用について説明すると、シリンダ錠１０を保護するための保護装置３６は、シリンダ錠１０のロータ１３が備えるキー孔１６へのメカニカルキー１５の挿入を許容する挿通孔３８を有するとともにマグネット錠３５の解錠時の回動操作に応じてロータ１３の回動軸線と同一軸線まわりに回動する回動部材２７と、該回動部材２７の回動に応じて前記挿通孔３８を開放する位置ならびに前記挿通孔３８の全部を閉鎖する位置間で移動するようにして回動部材２７に連動、連結されるシャッター板２８とを備えている。
【００３７】
すなわち回動部材２７がロータ１３の回動軸線と同一軸線まわりに回動するものであり、回動部材２７が備える挿通孔３８の全部を、回動部材２７の回動に応じてシャッター板２８で閉鎖することができるので、ロータ１３のキー孔１６に通じる挿通孔３８を完全に閉鎖することが可能となるとともに保護装置３６のコンパクト化が可能となる。
【００３８】
以上、本発明の実施例を説明したが、本発明は上記実施例に限定されるものではなく、特許請求の範囲に記載された本発明を逸脱することなく種々の設計変更を行うことが可能である。
【図面の簡単な説明】
【００３９】
【図１】シリンダ錠の縦断面図であって図２の１−１線に沿う断面図である。
【図２】シャッター板が挿通孔を閉鎖した状態での図１の２−２線断面図である。
【図３】メカニカルキーおよびマグネットキーを省略した状態での図１の３矢視図である。
【図４】保護装置を前方側から見た分解斜視図である。
【図５】保護装置を後方側から見た分解斜視図である。
【図６】図２の６−６線断面図である。
【図７】図１の要部拡大図である。
【図８】一部を分解して示すメカニカルキーおよびマグネットキーの斜視図である。
【図９】シャッター板が挿通孔を開放した状態での図２に対応した断面図である。
【符号の説明】
【００４０】
１０・・・シリンダ錠
１１・・・シリンダボディ
１３・・・ロータ
１５・・・メカニカルキー
１６・・・キー孔
３５・・・マグネット錠
２７・・・回動部材
２８・・・シャッター板
３５・・・マグネット錠
３６・・・保護装置
３８・・・挿通孔
【図１】
2007204961.tif 000003
【図２】
2007204961.tif 000004
【図３】
2007204961.tif 000005
【図４】
2007204961.tif 000006
【図５】
2007204961.tif 000007
【図６】
2007204961.tif 000008
【図７】
2007204961.tif 000009
【図８】
2007204961.tif 000010
【図９】
2007204961.tif 000011